(57)【要約】【課題】電圧試験の作業効率を向上させ、配線作業の結線ミスや操作ミスを防止することができる電圧試験プラグを提供すること。【解決手段】電圧試験プラグ４０は、運転するときには電気装置９の端末と外部電源回路８の端末とを接続する一方、電気装置９を試験するとき電気装置９の端末と外部電源回路８とを切り離すため、電圧試験端子３０へ挿入することによって電気装置９の端末と外部電源回路８の端末とを切り離し、電気装置９の端末と試験器７の端末とを接続するものであり、電圧試験プラグ４０が電圧試験端子３０へ挿入されたとき電気装置９の端末に電気的に接続される第１の端子（内部接続端子）５４と、試験器７の端末と電気的に接続される第２の端子（中心接続端子）４３と、第１の端子（内部接続端子）５４と第２の端子（中心接続端子）４３とを選択的に電気的に接続、非接続の状態に切り換えできるスイッチ手段４３（中心接続端子）を備える。【選択図】図１
2009036599.tif 000002
【特許請求の範囲】
【請求項１】
運転するときには電気装置の端末と外部電源回路の端末とを接続する一方、前記電気装置を試験するとき前記電気装置の端末と前記外部電源回路とを切り離すため、電圧試験端子へ挿入することによって前記電気装置の端末と前記外部電源回路の端末とを切り離し、前記電気装置の端末と試験器の端末とを接続する電圧試験プラグであって、
前記電圧試験プラグが前記電圧試験端子へ挿入されたとき前記電気装置の端末に電気的に接続される第１の端子と、
前記試験器の端末と電気的に接続される第２の端子と、
前記第１の端子と前記第２の端子とを選択的に電気的に接続、非接続の状態に切り換えできるスイッチ手段を備えた電圧試験プラグ。
【請求項２】
運転するときには電気装置の端末と外部電源回路の端末とを接続する一方、前記電気装置を試験するとき前記電気装置の端末と前記外部電源回路とを切り離すため、電圧試験端子へ挿入することによって前記電気装置の端末と前記外部電源回路の端末とを切り離し、前記電気装置の端末と試験器の端末とを接続する電圧試験プラグであって、
前記電圧試験プラグに設けられた外側接続端子と、
前記外側接続端子の内部を摺動可能に、かつ前記外側接続端子と絶縁状態を保持されると共に前記試験器の端末と電気的に接続される中心接続端子と、
前記電圧試験プラグが前記電圧試験端子へ挿入されたとき前記電気装置の端末に電気的に接続される内部接続端子と、を備え、
前記中心接続端子が摺動することにより、前記中心接続端子と前記内部接続端子とを選択的に電気的に接続、非接続の状態に切り換えできる、電圧試験プラグ。
【請求項３】
運転するときには電気装置の各極の端末と外部電源回路の対応する各極の端末とをそれぞれ接続する一方、前記電気装置を試験するとき前記電気装置と前記外部電源回路とを切り離すため、電圧試験端子へ挿入することによって前記電気装置の各極の端末と前記外部電源回路の対応する各極の端末とをそれぞれ切り離し、前記電気装置の各極の端末と試験器の各極に対応する端末とをそれぞれ接続する電圧試験プラグであって、
前記電圧試験プラグが前記電圧試験端子へ挿入されたとき前記電気装置の各極の端末にそれぞれ電気的に接続される複数の第１の端子と、
前記試験器の各極に対応する端末とそれぞれ電気的に接続される複数の第２の端子と、
前記複数の第１の端子と前記複数の第２の端子との対応する極同士とを、各極同時に、選択的に電気的に接続、非接続の状態に切り換えできる一括スイッチ手段と、を備えた電圧試験プラグ。
【請求項４】
運転するときには電気装置の各極の端末と外部電源回路の対応する各極の端末とをそれぞれ接続する一方、前記電気装置を試験するとき前記電気装置と前記外部電源回路とを切り離すため、電圧試験端子へ挿入することによって前記電気装置の各極の端末と前記外部電源回路の対応する各極の端末とをそれぞれ切り離し、前記電気装置の各極の端末と試験器の各極に対応する端末とをそれぞれ接続する電圧試験プラグであって、
前記電圧試験プラグに設けられた各極に対応する複数の外側接続端子と、
前記複数の外側接続端子の内部をそれぞれ摺動可能に、かつ前記外側接続端子と絶縁状態を保持されると共に前記試験器の各極に対応する端末とそれぞれ電気的に接続される複数の中心接続端子と、
前記電圧試験プラグが前記電圧試験端子へ挿入されたとき前記電気装置の各極の端末にそれぞれ電気的に接続される複数の内部接続端子と、
前記複数の中心接続端子をそれぞれ電気的に絶縁状態で一体に連結する連結部材と、を備え、
前記連結部材によって連結された複数の中心接続端子が同時に摺動することにより、前記複数の中心接続端子と前記複数の内部接続端子との対応する極同士とを、各極同時に、選択的に電気的に接続、非接続の状態に切り換えできる、電圧試験プラグ。
【請求項５】
前記連結部材を前記内部接続端子側に移動させると前記電圧試験プラグの外側に向けて突出する突出部材を更に備え、
前記連結部材を前記内部接続端子側に移動させて前記中心接続端子と前記内部接続端子との対応する極同士とを電気的に接続の状態にして前記突出部材を外側に突出させると、突出した前記突出部材により、前記電圧試験端子への前記電圧試験プラグの挿入が阻害されるか、或は前記電圧試験端子からの前記電圧試験プラグの抜き出しが阻害されると共に、
前記連結部材を前記内部接続端子とは反対側に移動させて前記中心接続端子と前記内部接続端子との対応する極同士とを電気的に非接続の状態にして前記突出部材の突出を解消すると、前記電圧試験端子への前記電圧試験プラグの挿入が可能となるか、或は前記電圧試験端子からの前記電圧試験プラグの抜き出しが可能となる、請求項４記載の電圧試験プラグ。
【発明の詳細な説明】
【技術分野】
【０００１】
本発明は、電気機器の保守・点検に用いられる電圧試験プラグに係り、特に、電力用配電盤や継電器盤などの電気装置の試験などに用いられる電圧試験プラグに関する。
【背景技術】
【０００２】
従来より、電気装置（例えば電力用配電盤、継電器盤、制御装置）の電圧回路の機能試験や保守・点検を行う場合に電気装置を外部電源回路（例えば電力系統）と切り離し、代わりに試験器などを用いて試験入力を印加するために、電気装置と外部電源回路の間に設置された電圧試験端子に電圧試験プラグを挿入することにより電気装置と外部からの電圧回路を切り離し、切り離した後に電圧試験プラグに試験器を接続することが行われている。
【０００３】
図１１に示す通り、保守員は、電圧試験プラグ１４０を用いて、電力用配電盤や継電器盤などの機器１００の試験を行う。試験は、機器１００の内部にある複数の電圧試験端子３０のうち必要な電圧試験端子に電圧試験プラグ１４０を挿入した状態で行われる。
【０００４】
図１１は、従来の電圧試験プラグ、及び一般的な電圧試験端子の構成を示している。図１１（ａ）は、従来の電圧試験プラグが一般的な電圧試験端子に挿入されていない状態における一つの極の断面図である。他の極の断面図も同じであるため、特に図示しない。図１１（ｂ）は、従来の電圧試験プラグが一般的な電圧試験端子に挿入されている状態における一つの極の断面図である。一つの極の断面図のみ示されているが他の極の断面図も同じであるため、特に図示しない。図１１（ｃ）は、従来の電圧試験プラグの上面図である。
【０００５】
電圧試験端子３０は、絶縁性材料からなるフランジ３１、及び同じく絶縁性材料からなる電圧試験端子筐体３５により形成され、その内部に、外部電源回路８に接続する電圧試験端子一次外部接続部３６ａ、電圧試験端子一次外部接続部３６ａに電気的に接続していると共に電圧試験プラグ１４０の対応接続部に接続される電圧試験端子一次接続部３９ａ、及び電気装置９に接続する電圧試験端子二次外部接続部３２ａ、電圧試験端子二次外部接続部３２ａに電気的に接続していると共に電圧試験プラグ１４０の対応接続部に接続される電圧試験端子二次接続部３８ａが設けられている。
【０００６】
電圧試験端子一次接続部３９ａには一次側ターミナル３７ａが、電圧試験端子二次接続部３８ａには二次側ターミナル３３ａがそれぞれ接続されている。図１１（ａ）で示す通り、一次側ターミナル３７ａ、及び二次側ターミナル３３ａは、バネ部材２９ａ、バネ部材３４ａによりそれぞれ付勢されているため、電圧試験端子３０に電圧試験プラグ１４０が挿入されてない状態では、お互いに接触し、電気的に接続されている。すなわち、機器１００の通常の使用状態では外部電源回路８は、電圧試験端子３０を介して電気装置９に接続されている。
【０００７】
電圧試験プラグ１４０は、絶縁性材料からなる電圧試験プラグ筐体１４５により形成され、電圧試験プラグ筐体１４５から電圧試験端子３０に電圧試験プラグ１４０が挿入された場合に電圧試験端子一次接続部３９ａと接続する電圧試験プラグ一次接続部１４６ａ、同じく電圧試験端子二次接続部３８ａと接続する電圧試験プラグ二次接続部１４２ａがそれぞれ突出している。電圧試験プラグ一次接続部１４６ａ、及び電圧試験プラグ二次接続部１４２ａの間には絶縁部材１４４が設けられている。
【０００８】
電圧試験プラグ二次接続部１４２ａの他方は、溶着のような接続手段により端子部１４３ａに電気的に接続されている。端子部１４３ａは、ねじが形成された棒状の部材である。端子部１４３ａにはナット１４１ａが螺合されている。換言すると、ナット１４１ａは、これが回転することにより、試験器７に接続されたケーブル７１ａを端子部１４３ａに締め付けて、端子部１４３ａとケーブル７１ａとを電気的に接続させることができるように、端子部１４３ａに設けられている。
【０００９】
電圧試験プラグ一次接続部１４６ａの他方は、溶着のような接続手段により端子部１４７ａに電気的に接続されている。端子部１４７ａは、ねじが形成された筒状の部材である。端子部１４７ａには、ナット１４９ａが螺合されている。
【００１０】
端子部１４７ａは、端子部１４３ａに電気的に非接続な状態で端子部１４３ａの側面を環状状態に囲むように、形成されている。
【００１１】
図１１（ｂ）で示す通り、継電器盤などの点検時、電圧試験端子３０に電圧試験プラグ１４０を挿入すると、電圧試験プラグ一次接続部１４６ａ及び電圧試験プラグ二次接続部１４２ａが電圧試験端子一次接続部３９ａ及び電圧試験端子二次接続部３８ａの間に押し込まれることにより一次側ターミナル３７ａと二次側ターミナル３３ａとの接触がなくなり、電気装置９の内部回路が外部電源回路８から切り離される。そして、電気装置９が外部電源回路８と切り離された後に、試験器７からのケーブル７１ａを端子部１４３ａに接続することができる。
【００１２】
ここで、誤って試験器７からのケーブル７１ａを端子部１４３ａに接続したまま電圧試験プラグ１４０を電圧試験端子３０に挿入する、或は電圧試験端子３０から抜き出す場合、ある位置で一次側ターミナル３７ａと二次側ターミナル３３ａとが非接触となるが、非接触となる寸前、或は、接触が始まる直後では、電圧試験プラグ一次接続部１４６ａと電圧試験端子一次接続部３９ａ、電圧試験プラグ二次接続部１４２ａと電圧試験端子二次接続部３８ａとが接触している上に、電圧試験プラグ二次接続部１４２ａ、ケーブル７１ａを介して試験器７が接続状態になる。従ってこのとき、外部電源回路８に試験器７が接続されてしまうことになり、この場合に試験器７に可変電圧昇降器や試験電圧発生器などが用いられていると、これらの内部インピーダンスは、電気装置９のインピーダンスに比べ低い値であるため、外部電源回路８に低いインピーダンスが接続されたことと同じ状態になる。これにより過負荷状態になり、電圧回路の保護ヒューズが切れたり、電圧回路の電圧の低下を起こし、電気装置９の誤動作や損傷、或は、同じ電圧回路につながる他の電気装置の誤動作や損傷を引き起こすことがあるという問題がある。
【００１３】
また、従って、試験器７からのケーブル７１ａを端子部１４３ａから外した状態で、電圧試験プラグ１４０を電圧試験端子３０に挿入する、或は電圧試験端子３０から抜き出す必要があるため、ケーブル７１ａの取り付け、取り外しの作業に多くの手間及び時間を要するので機器１００の試験の作業効率が悪いという問題がある。
【００１４】
また、電圧試験ではケーブル接続、取り外しを繰り返し行うため、結線ミスの可能性があるという問題がある。
【００１５】
これらの問題について、試験器と電圧試験プラグとの間に閉回路が形成されているか否かを検出する閉回路検出手段と、電圧試験端子へ挿入された電圧試験プラグの位置を検出する位置検出手段と、電圧試験端子側に設けられた電圧試験プラグの挿入及び引き抜きを阻止する電圧試験端子ロック機構部とにより、閉回路が検出され、かつ、電圧試験プラグが挿入前と判別されたとき、電圧試験プラグの挿入を阻止する一方、閉回路が検出され、かつ、電圧試験プラグが挿入されたと判別されたとき電圧試験プラグの引き抜きを阻止することにより、試験器がつながったまま電圧試験プラグが抜き差しされることによる電気装置や外部の電圧回路の誤動作や損傷を防止できるようにするといった技術が提案されている（特許文献１参照）。
【００１６】
この文献には、試験器を接続したまま電圧試験プラグを抜き差しすることを阻止し電気装置や外部の電圧回路の誤動作や損傷を防止する技術が開示されているが、電圧試験の作業効率、配線作業の結線ミスや操作ミスに関するものは見当たらない。
【００１７】
【特許文献１】特開平７−１２８４４号公報
【発明の開示】
【発明が解決しようとする課題】
【００１８】
本発明は、以上のような問題を解決し、電圧試験の作業効率を向上させ、配線作業の結線ミスや操作ミスを防止することができる電圧試験プラグを提供することを目的とする。
【課題を解決するための手段】
【００１９】
上記の課題を解決するため、本発明者らは、試験器ケーブルに繋がる電気経路を電圧試験プラグの内部で接続、或は非接続と切り換えできるようにし、切り換えは電圧試験プラグの各極をまとめて操作できるようにし、電圧試験プラグが接続、或は非接続のいずれの状態か識別可能とすることを見出し、本発明を完成するに至った。
【００２０】
（１）  運転するときには電気装置の端末と外部電源回路の端末とを接続する一方、前記電気装置を試験するとき前記電気装置の端末と前記外部電源回路とを切り離すための電圧試験端子へ挿入することによって前記電気装置の端末と前記外部電源回路の端末とを切り離し、前記電気装置の端末と試験器の端末とを接続する電圧試験プラグであって、前記電圧試験プラグが前記電圧試験端子へ挿入されたとき前記電気装置の端末に電気的に接続される第１の端子と、前記試験器の端末と電気的に接続される第２の端子と、前記第１の端子と前記第２の端子とを選択的に電気的に接続、非接続の状態に切り換えできるスイッチ手段を備えた電圧試験プラグ。
【００２１】
（１）に記載の発明は、電圧試験プラグの内部に設けたスイッチ手段で、試験器の端末に繋がる電気経路を接続、或は非接続と切り換えしているので、試験器の端末からのケーブルを取り付けたまま、電気的に接続、或は非接続と切り換えすることができる。
【００２２】
（２）  運転するときには電気装置の端末と外部電源回路の端末とを接続する一方、前記電気装置を試験するとき前記電気装置の端末と前記外部電源回路とを切り離すための電圧試験端子へ挿入することによって前記電気装置の端末と前記外部電源回路の端末とを切り離し、前記電気装置の端末と試験器の端末とを接続する電圧試験プラグであって、前記電圧試験プラグに設けられた外側接続端子と、前記外側接続端子の内部を摺動可能に、かつ前記外側接続端子と絶縁状態を保持されると共に前記試験器の端末と電気的に接続される中心接続端子と、前記電圧試験プラグが前記電圧試験端子へ挿入されたとき前記電気装置の端末に電気的に接続される内部接続端子と、を備え、前記中心接続端子が摺動することにより、前記中心接続端子と前記内部接続端子とを選択的に電気的に接続、非接続の状態に切り換えできる、電圧試験プラグ。
【００２３】
（２）に記載の発明は、電圧試験プラグの内部に設けた、摺動可能に保持された中心接続端子と接続端子により、試験器の端末に繋がる電気経路を接続、或は非接続と切り換えしているので、試験器の端末からのケーブルを取り付けたまま、電気的に接続、或は非接続と切り換えすることができる。
【００２４】
さらに、（１）に記載の電圧試験プラグは、その付勢力により、前記スイッチ手段を前記第１の端子と前記第２の端子とを電気的に通常非接続の状態に保持するバネ部材を有する、電圧試験プラグとしてもよい。
【００２５】
このようにすることにより、スイッチ手段が通常状態で、すなわち保守員がスイッチ手段の操作を行わないとき、電気的に非接続になるように設定されているので、電圧試験の操作ミスは更に発生しにくい。
【００２６】
さらに、（２）に記載の電圧試験プラグは、その付勢力により、前記中心接続端子を前記中心接続端子と前記内部接続端子とを電気的に通常非接続の状態に保持するバネ部材を有する、電圧試験プラグとしてもよい。
【００２７】
このようにすることにより、中心接続端子と内部接続端子との間が通常状態で、すなわち保守員が中心接続端子の操作を行わないとき電気的に非接続になるように設定されているので、電圧試験の操作ミスは更に発生しにくい。
【００２８】
さらに、（１）に記載の電圧試験プラグは、前記スイッチ手段を前記第１の端子と前記第２の端子とを電気的に接続する状態に保持するロック手段を有する、電圧試験プラグとしてもよい。
【００２９】
さらに、（２）に記載の電圧試験プラグは、前記中心接続端子を前記中心接続端子と前記内部接続端子とを電気的に接続する状態に保持するロック手段を有する電圧試験プラグとしてもよい。
このようにすることにより、これら発明は、スイッチ手段、或は中心接続端子が試験器の端末と電気装置の端末とを電気的に接続する位置にあるとき、すなわち保守員が電圧試験を行うとき、スイッチ手段、或は中心接続端子を確実に係止できるため電圧試験を確実に、かつ作業効率良く行うことができる。
【００３０】
（３）  運転するときには電気装置の各極の端末と外部電源回路の対応する各極の端末とをそれぞれ接続する一方、前記電気装置を試験するとき前記電気装置と前記外部電源回路とを切り離すため電圧試験端子へ挿入することによって前記電気装置の各極の端末と前記外部電源回路の対応する各極の端末とをそれぞれ切り離し、前記電気装置の各極の端末と試験器の各極に対応する端末とをそれぞれ接続する電圧試験プラグであって、前記電圧試験プラグが前記電圧試験端子へ挿入されたとき前記電気装置の各極の端末にそれぞれ電気的に接続される複数の第１の端子と、前記試験器の各極に対応する端末とそれぞれ電気的に接続される複数の第２の端子と、前記複数の第１の端子と前記複数の第２の端子との対応する極同士とを、各極同時に、選択的に電気的に接続、非接続の状態に切り換えできる一括スイッチ手段と、を備えた電圧試験プラグ。
【００３１】
（３）に記載の発明は、電圧試験プラグの内部に設けた一括スイッチ手段で、試験器の端末に繋がる電気経路を各極同時に接続、或は非接続と切り換えしているので、試験器の端末からのケーブルを取り付けたまま、各極同時に一括して電気的に接続状態から非接続状態へ、或は非接続状態から接続状態へと切り換えすることができ、電圧試験の作業効率が更に良い。
【００３２】
（４）  運転するときには電気装置の各極の端末と外部電源回路の対応する各極の端末とをそれぞれ接続する一方、前記電気装置を試験するとき前記電気装置と前記外部電源回路とを切り離すため電圧試験端子へ挿入することによって前記電気装置の各極の端末と前記外部電源回路の対応する各極の端末とをそれぞれ切り離し、前記電気装置の各極の端末と試験器の各極に対応する端末とをそれぞれ接続する電圧試験プラグであって、前記電圧試験プラグに設けられた各極に対応する複数の外側接続端子と、前記複数の外側接続端子の内部をそれぞれ摺動可能に、かつ前記外側接続端子と絶縁状態を保持されると共に前記試験器の各極に対応する端末とそれぞれ電気的に接続される複数の中心接続端子と、前記電圧試験プラグが前記電圧試験端子へ挿入されたとき前記電気装置の各極の端末にそれぞれ電気的に接続される複数の内部接続端子と、前記複数の中心接続端子をそれぞれ電気的に絶縁状態で一体に連結する連結部材と、を備え、前記連結部材によって連結された複数の中心接続端子が同時に摺動することにより、前記複数の中心接続端子と前記複数の内部接続端子との対応する極同士とを、各極同時に、選択的に電気的に接続、非接続の状態に切り換えできる、電圧試験プラグ。
【００３３】
（４）に記載の発明は、電圧試験プラグの内部に設けた、連結部材によりお互い絶縁状態を保たれると共に、一体となって摺動可能に保持された複数の中心接続端子と複数の内部接続端子により、試験器の端末に繋がる電気経路を各極同時に接続、或は非接続と切り換えしているので、試験器の端末からのケーブルを取り付けたまま、各極同時に一括して電気的に接続状態から非接続状態へ、或は非接続状態から接続状態へと切り換えすることができるので、電圧試験の作業効率が更に良い。
【００３４】
（５）  （４）に記載の発明において、前記連結部材を前記内部接続端子側に移動させると前記電圧試験プラグの外側に向けて突出する突出部材を更に備え、前記連結部材を前記内部接続端子側に移動させて前記中心接続端子と前記内部接続端子との対応する極同士とを電気的に接続の状態にして前記突出部材を外側に突出させると、突出した前記突出部材により、前記電圧試験端子への前記電圧試験プラグの挿入が阻害されるか、或は前記電圧試験端子からの前記電圧試験プラグの抜き出しが阻害されると共に、前記連結部材を前記内部接続端子とは反対側に移動させて前記中心接続端子と前記内部接続端子との対応する極同士とを電気的に非接続の状態にして前記突出部材の突出を解消すると、前記電圧試験端子への前記電圧試験プラグの挿入が可能となるか、或は前記電圧試験端子からの前記電圧試験プラグの抜き出しが可能となる、電圧試験プラグ。
【００３５】
（５）に記載の発明は、突出部材を外側に突出させると、電圧試験端子への電圧試験プラグの挿入が阻害されるか、或は電圧試験端子からの電圧試験プラグの抜き出しが阻害されるため、電気的に接続状態において、誤って、電圧試験端子へ電圧試験プラグを挿入したり、電圧試験端子から電圧試験プラグを抜き出すことが防止される。一方、突出部材の突出を解消すると、電気的に非接続状態の状態で、電圧試験端子へ電圧試験プラグを挿入することが可能となると共に、電圧試験端子から電圧試験プラグを抜き出すことが可能となる。
【００３６】
さらに、（４）に記載の電圧試験プラグは、前記連結部材は、電圧試験プラグを覆うカバーである、電圧試験プラグとしてもよい。
このような発明は、複数の中心接続端子を電気的に絶縁状態で一体に連結する連結部材を、電圧試験プラグを覆うカバーとしているので、切り換え操作が容易であり、電圧試験の作業効率が更に良い。また、電圧試験プラグを覆うカバーにすることにより、露出している試験器との接続結線部分を保護することができるので感電などの恐れがなく更に安全である。また、カバーの一部に切り欠き部を有し、前記電圧試験プラグを電圧試験端子に挿入するとき保守員の指が前記カバーに干渉することなく前記電圧試験プラグを操作できる、電圧試験プラグにすれば、電圧試験の作業効率が更に良い。
さらに、（３）に記載の電圧試験プラグであって、その付勢力により、前記一括スイッチ手段を、前記複数の第１の端子と前記複数の第２の端子との対応する極同士とをそれぞれ電気的に通常非接続の状態に保持するバネ部材を有する、電圧試験プラグ。
【００３７】
このような発明は、一括スイッチ手段が通常状態で、すなわち保守員が一括スイッチ手段の操作を行わないとき、電気的に非接続になるように設定されているので、電圧試験の操作ミスは更に発生しにくい。
【００３８】
また、次のような変形例も考えられる。
（４）に記載の電圧試験プラグであって、その付勢力により、前記複数の中心接続端子を、前記複数の中心接続端子と前記複数の内部接続端子との対応する極同士とをそれぞれ電気的に通常非接続の状態に保持するバネ部材を有する、電圧試験プラグとすれば、通常状態で、すなわち保守員が中心接続端子の操作を行わないとき電気的に非接続になるように設定されているので、電圧試験の操作ミスは更に発生しにくい。
【００３９】
また、（３）に記載の電圧試験プラグであって、前記一括スイッチ手段を、前記複数の第１の端子と前記複数の第２の端子との対応する極同士とをそれぞれ電気的に接続する状態に保持するロック手段を有する、電圧試験プラグ、或は（４）に記載の電圧試験プラグであって、前記複数の中心接続端子を、前記複数の中心接続端子と前記複数の内部接続端子との対応する極同士とをそれぞれ電気的に接続する状態に保持するロック手段を有する、電圧試験プラグとすれば、一括スイッチ手段、或は複数の中心接続端子が試験器の端末と電気装置の端末とを電気的に接続する位置にあるとき、すなわち保守員が電圧試験を行うとき、一括スイッチ手段、或は複数の中心接続端子を確実に係止できるため電圧試験を確実に、かつ作業効率良く行うことができる。
【００４０】
更に、（１）に記載の電圧試験プラグであって、前記スイッチ手段が前記第１の端子と前記第２の端子とを電気的に接続、或は非接続のいずれの状態にあるかを表示する表示手段を有する電圧試験プラグ、（２）に記載の電圧試験プラグであって、前記中心接続端子が前記中心接続端子と前記内部接続端子とを電気的に接続、或は非接続のいずれの状態にあるかを表示する表示手段を有する電圧試験プラグ、（３）に記載の電圧試験プラグであって、前記一括スイッチ手段が前記複数の第１の端子と前記複数の第２の端子との対応する極同士とを電気的に接続、或は非接続のいずれの状態にあるかを表示する表示手段を有する電圧試験プラグ、或は（４）に記載の電圧試験プラグであって、複数の中心接続端子が前記複数の中心接続端子と前記複数の内部接続端子との対応する極同士とを電気的に接続、或は非接続のいずれの状態にあるかを表示する表示手段を有する電圧試験プラグとすれば、試験器の端末と電圧試験プラグが電圧試験端子へ挿入されたとき電気装置の端末に電気的に接続される端子とが、電気的に接続、或いは非接続のいずれの状態であるかを表示手段により表示することができる。従って、保守員は、この接続、或いは非接続のいずれの状態かを簡単に認識することができるため、試験器の端末と電圧試験プラグが電圧試験端子へ挿入されたとき電気装置の端末に電気的に接続される端子とが電気的に接続しているとき電圧試験プラグを電圧試験端子へ挿入する、或は電圧試験端子から抜き出してしまうことを防止することができる。
【発明の効果】
【００４１】
本発明によれば、電圧試験の作業効率を向上させ、配線作業の結線ミスや操作ミスを防止することができる電圧試験プラグを提供することができる。また、表示手段が設けられているため、保守員は中心接続端子と内部接続端子とが電気的に接続、或いは非接続のいずれの状態であるかを簡単に認識することができ、試験器の端末と電圧試験プラグが電圧試験端子へ挿入されたとき電気装置の端末に電気的に接続される端子とが電気的に接続しているとき電圧試験プラグを電圧試験端子へ挿入する、或は電圧試験端子から抜き出してしまうことを防止することができる。
【発明を実施するための最良の形態】
【００４２】
以下、本発明を実施するための最良の形態について添付した図面を参照しながら説明する。なお、これはあくまでも一例であって、本発明の技術的範囲はこれに限られるものではない。
【００４３】
［第１の実施例］
図１、及び図２は、本発明に係る電圧試験プラグ４０の構成を示す断面図である。図１は、本発明に係る電圧試験プラグ４０が一般的な電圧試験端子３０に挿入されていない状態における一つの極の断面図である。図２は、本発明に係る電圧試験プラグ４０が一般的な電圧試験端子３０に挿入されている状態における一つの極の断面図である。図１及び図２において、一つの極の断面図のみ示しているが、他の極の断面図も同じであるため、特に図示しない。
【００４４】
図１（ａ）及び図２（ａ）に示す電圧試験プラグ４０は、図１１（従来の電圧試験プラグ、及び一般的な電圧試験端子の構成）に示す一般的な電圧試験端子３０と共に使用され、機器１００の試験を行う場合、機器１００の内部にある複数の電圧試験端子３０のうち必要な電圧試験端子に電圧試験プラグ４０を挿入した状態で行われる。電圧試験端子３０の構成は、前述の通りであるので、繰り返しを避けるためここでは説明を省略する。
【００４５】
図１（ａ）及び図２（ａ）に示すように、電圧試験プラグ４０は、ＬＣＰ，フェノール樹脂、などの絶縁性材料からなる電圧試験プラグ筐体４５により形成され、電圧試験プラグ筐体４５から電圧試験プラグ一次接続部４６ａ、電圧試験プラグ二次接続部４２ａがそれぞれ突出している。電圧試験プラグ一次接続部４６ａは、電圧試験端子３０に電圧試験プラグ４０が挿入された場合に電圧試験端子一次接続部３９ａと接続される。電圧試験プラグ二次接続部４２ａは、同様に電圧試験端子二次接続部３８ａと接続される。電圧試験プラグ一次接続部４６ａ、及び電圧試験プラグ二次接続部４２ａの間には絶縁部材４４が設けられている。
【００４６】
図１（ｂ）及び図２（ｂ）に示すように、電圧試験プラグ筐体４５の他方には、金属など導電性材料からなる筒状の外側接続端子４７ａが、貫通した状態で固定されている。外側接続端子４７ａの中心軸は、電圧試験プラグ一次接続部４６ａ、及び電圧試験プラグ二次接続部４２ａとほぼ平行であり、外側接続端子４７ａの外側の端部外周面にはねじが形成され、ナット４９ａが螺合されている。外側接続端子４７ａの他端は、溶着、或は螺子止めなどの手段により電圧試験プラグ一次接続部４６ａに電気的に接続されている。
【００４７】
外側接続端子４７ａの内部には、金属など導電性材料からなる棒状の中心接続端子４３ａが、摺動可能に保持されている。中心接続端子４３ａの周側面には、樹脂などの絶縁性材料からなる筒状絶縁部材５１ａが固着されており、筒状絶縁部材５１ａは、中心接続端子４３ａと一体になっており、筒状絶縁部材５１ａの周側面が外側接続端子４７ａの内周面と滑らかに摺動すると共に、中心接続端子４３ａの周側面が外側接続端子４７ａの内周面に接触することを阻止している。すなわち、中心接続端子４３ａは、外側接続端子４７ａの内部を摺動可能に、かつ外側接続端子４７ａと絶縁状態を保持されている。
【００４８】
中心接続端子４３ａの外側の端部外周面にはねじが形成され、ナット４１ａが螺合されている。ナット４１ａは、これが回転することにより、試験器７に接続されたケーブル７１ａを中心接続端子４３ａに締め付けて、中心接続端子４３ａとケーブル７１ａとを電気的に接続させることができるように、中心接続端子４３ａに設けられている。中心接続端子４３ａの他端、すなわち電圧試験プラグ筐体４５の内側の端部は接続端面５３ａを形成している。
【００４９】
電圧試験プラグ二次接続部４２ａは、電圧試験プラグ筐体４５の内部で、接続端面５３ａに向かって延び、その端部に内部接続端子５４ａが形成され、接続端面５３ａと内部接続端子５４ａは対向している。内部接続端子５４ａは、電圧試験プラグ二次接続部と一体でなくてもよく、例えば、舌片状の内部接続端子５４ａを電圧試験プラグ筐体４５の内面に螺子止めなどの手段により取り付け、電圧試験プラグ二次接続部４２ａを溶着、或は螺子止めなどの手段により内部接続端子５４ａに電気的に接続してもよい。
【００５０】
接続端面５３ａと内部接続端子５４ａは、図１に示すように、中心接続端子４３ａが電圧試験プラグ一次接続部４６ａ、及び電圧試験プラグ二次接続部４２ａから遠ざかる方向に電圧試験プラグ筐体４５に対して摺動すると接続端面５３ａと内部接続端子５４ａは離れ、逆に図２に示すように、中心接続端子４３ａが電圧試験プラグ一次接続部４６ａ、及び電圧試験プラグ二次接続部４２ａに近づく方向に電圧試験プラグ筐体４５に対して摺動すると接続端面５３ａは内部接続端子５４ａに当接する位置になるようそれぞれ配置されている。
【００５１】
図１に示すように、中心接続端子４３ａが電圧試験プラグ一次接続部４６ａ及び電圧試験プラグ二次接続部４２ａから遠ざかる方向に摺動すると、接続端面５３ａと内部接続端子５４ａとは離れ、その結果、試験器からのケーブル７１ａに電気的に接続されている中心接続端子４３ａと、電圧試験プラグ４０が電圧試験端子３０へ挿入されたとき電気装置９に電気的に接続される内部接続端子５４ａとは電気的に非接続の状態になる。この状態を以下、「非接続状態」といい、この状態であれば、試験器からのケーブル７１ａを電圧試験プラグ４０から取り外すことなく、電圧試験プラグ４０を問題なく電圧試験端子３０へ挿入する、或は電圧試験端子３０から抜き出すことができる。
【００５２】
図２に示すように、中心接続端子４３ａが電圧試験プラグ一次接続部４６ａ及び電圧試験プラグ二次接続部４２ａに近づく方向に摺動すると、接続端面５３ａと内部接続端子５４ａとは接触し、その結果、試験器からのケーブル７１ａに電気的に接続されている中心接続端子４３ａと、電圧試験プラグ４０が電圧試験端子３０へ挿入されたとき電気装置９に電気的に接続される内部接続端子５４ａとは電気的に接続された状態になる。この状態を以下、「接続状態」といい、この状態で試験器７を用いて電気装置９の電圧試験を行うことができる。
【００５３】
従って、保守員は、必要に応じてナット４１ａを操作するなどして中心接続端子４３ａを電圧試験プラグ筐体４５に対して摺動させることにより、電圧試験プラグ４０を「非接続状態」から「接続状態」に、或は「接続状態」から「非接続状態」に切り換えることができる。
【００５４】
内部接続端子５４ａは、「接続状態」において確実に接続端面５３ａと内部接続端子５４ａとの間の電気的接続を確保するため、弾性を有する部材であることが望ましい。
【００５５】
外側接続端子４７ａは、その内周面に内径縮小部を有し、その内径縮小部は電圧試験プラグ一次接続部４６ａ、及び電圧試験プラグ二次接続部４２ａに向かう方向と反対側に面する外筒部環状壁面５６ａを有する。また、中心接続端子４３ａの周側面に固着されている筒状絶縁部材５１ａは、その外周面に外径縮小部を有し、その外径縮小部は電圧試験プラグ一次接続部４６ａ、及び電圧試験プラグ二次接続部４２ａに向かう方向に面する筒状絶縁部材環状壁面５５ａを有する。従って、外側接続端子４７ａ、及び筒状絶縁部材５１ａは、その間に、外筒部環状壁面５６ａ、及び筒状絶縁部材環状壁面５５ａを両端とするパイプ形状の空隙部を有している。
【００５６】
この空隙部の中に、外筒部環状壁面５６ａ、及び筒状絶縁部材環状壁面５５ａにその両端が当接するバネ部材５２ａが設けられている。このバネ部材５２ａの付勢力により、中心接続端子４３ａは、その周側面に固着されている筒状絶縁部材５１ａと共に、電圧試験プラグ一次接続部４６ａ、及び電圧試験プラグ二次接続部４２ａから遠ざかる方向に付勢され、電圧試験プラグ４０は、通常状態すなわち保守員が中心接続端子４３ａを特に操作していないときには「非接続状態」になっている。
【００５７】
図３は、電圧試験プラグ４０の構成、特に電圧試験プラグ筐体４５の外側である、外側接続端子４７ａ、中心接続端子４３ａ、及びその周側面に固着されている筒状絶縁部材５１ａの構成を示す外形図である。図３において、一つの極の断面図のみ示しているが、他の極の断面図も同じであるため、特に図示しない。
【００５８】
図３（ａ）は、電圧試験プラグ４０が「非接続状態」、すなわち中心接続端子４３ａが電圧試験プラグ一次接続部４６ａ、及び電圧試験プラグ二次接続部４２ａから遠ざかる方向に電圧試験プラグ筐体４５に対して摺動している状態を示す。ここで、中心接続端子４３ａの周側面を覆っている筒状絶縁部材５１ａは、その周側面に突起部６１ａを有し、一方、外側接続端子４７ａは、中心接続端子４３ａの摺動方向に伸びる溝部６２ａを有しており、突起部６１ａは、溝部６２ａに係合すると共に中心接続端子４３ａの摺動に伴い溝部６２ａの中を移動するよう構成されている。
【００５９】
図３（ｂ）は、中心接続端子４３ａが電圧試験プラグ一次接続部４６ａ、及び電圧試験プラグ二次接続部４２ａに近づく方向に電圧試験プラグ筐体４５に対して摺動して、電圧試験プラグ４０が「接続状態」になっている状態を示す。この状態で、突起部６１ａは溝部６２ａの突き当たり部に当接し、中心接続端子４３ａが過剰に摺動することを阻止しているが、溝部６２ａは突き当たり部でその側面に突起部６１ａを受け入れ可能な凹部６３ａを有する。
【００６０】
従って、図３（ｃ）に示すように、保守員は、この状態でナット４１ａを操作するなどして中心接続端子４３ａを回転することにより突起部６１ａを凹部６３ａに係合させ、中心接続端子４３ａの摺動を係止し、電圧試験プラグ４０を「接続状態」にロックすることができる。
【００６１】
また、図３（ａ）に示すように、筒状絶縁部材５１ａの周側面には、「非接続状態」を示す、例えば、「非接続」、或は「遮断」などの文字表示、緑色などの色表示からなる表示部６４ａが設けられている。図３（ａ）のように、電圧試験プラグ４０が「非接続状態」のときはこれらの表示は表れているが、図３（ｂ）及び図３（ｃ）のように、「接続状態」になるとこれらの表示が外側接続端子４７ａによって覆われることにより電圧試験プラグ４０が「接続状態」であることを示す。これらの構成は、電圧試験プラグ４０が「非接続状態」、或は「接続状態」のいずれであるかを示す表示手段となっている。
【００６２】
表示手段は、これに限らず、可動部と固定部からなる構成であれば何でもよく、例えば、「接続」と「遮断」の文字表示、或は赤色と緑色の色表示を用いて、該当するものを例えば矢印で指し示す、或は該当するものを窓部、切り欠き部を介して表示するなどの変形例が可能である。
【００６３】
［第２の実施例］
図４は、電圧試験プラグ４０Ａの構成、特に電圧試験プラグ筐体４５の外側の、外側接続端子４７ａ、中心接続端子４３ａ、及びその周側面に固着されている筒状絶縁部材５１ａに形成された、電圧試験プラグ４０Ａを「接続状態」にロックする手段の別の実施例を示す斜視図である。図示していないが、電圧試験プラグ４０Ａのうち、電圧試験プラグ一次接続部４６ａ、電圧試験プラグ二次接続部４２ａ、及び電圧試験プラグ筐体４５など、電圧試験プラグ４０Ａを「接続状態」にロックする手段以外の部分は、第１の実施例の通りである。
【００６４】
図４（ａ）に示す通り、第１の実施例と同様に、筒状絶縁部材５１ａは、その周側面に突起部６１ａを有し、一方、外側接続端子４７ａは、図示しない中心接続端子４３ａの摺動方向に伸びる溝部６２ａを有しており、突起部６１ａは、溝部６２ａに係合すると共に中心接続端子４３ａの摺動に伴い溝部６２ａの中を移動するよう構成されている。中心接続端子４３ａが図示しない電圧試験プラグ一次接続部４６ａ、及び電圧試験プラグ二次接続部４２ａに近づく方向に電圧試験プラグ筐体４５に対して摺動して、電圧試験プラグ４０Ａが「接続状態」になると、突起部６１ａは溝部６２ａの突き当たり部まで移動する。外側接続端子４７ａには、溝部６２ａの突き当たり部に位置するホック６６ａを有するスプリング片６５ａが設けられ、スプリング片６５ａはホック６６ａを溝部６２ａに押し付けている。
【００６５】
図４（ｂ）は、図４（ａ）のＸ−Ｘ断面を示しているが、ホック６６ａは、突起部６１ａを受け入れ可能な、例えば、なべ底状の凹部を有すると共に円環状の斜面からなる縁面を持ちその間に円環状の山部６７ａを有する。従って、突起部６１ａを溝部６２ａの突き当たり部まで移動するとき、すなわち電圧試験プラグ４０Ａが「接続状態」になるとき、突起部６１ａは、スプリング片６５ａの押し付け力に一旦抗して山部６７ａを乗り越えて凹部に係合するため、「接続状態」になる直前で中心接続端子４３ａの摺動に対して抵抗力を与えることが出来る。逆に突起部６１ａを溝部６２ａの突き当たり部から戻すとき、すなわち電圧試験プラグ４０Ａが「接続状態」を離れるときも、突起部６１ａは、スプリング片６５ａの押し付け力に一旦抗して山部６７ａを乗り越えて凹部から離れるため、「接続状態」を離れる直前で中心接続端子４３ａの摺動に対して抵抗力を与えることが出来る。この構成により、保守員は、電圧試験プラグ４０Ａが「接続状態」になったことを確認できると共に、電圧試験プラグ４０Ａを「接続状態」にロックすることができる。
【００６６】
［第３の実施例］
図５は、電圧試験プラグ４０Ｂの構成、特に電圧試験プラグ筐体４５の内部の中心接続端子４３ａ、及び内部接続端子の構成に関する別の実施例を示す断面図である。ここでは一つの極の断面図のみ示しているが、他の極の断面図も同じであるため、特に図示しない。
【００６７】
図５（ａ）に示す通り、外側接続端子４７ａと絶縁状態を保ちつつ、外側接続端子４７ａの内部を摺動可能に保持されている中心接続端子４３ａは、電圧試験プラグ筐体４５の内部の端面近傍の外周面に、凹面５９ａを有する。電圧試験プラグ二次接続部４２ａは、電圧試験プラグ筐体４５の内部で、凹面５９ａに向かって延び、その端部に内部接続端子５８ａが形成され、凹面５９ａと内部接続端子５８ａは対向している。つまり、内部接続端子５８ａの先端は、凹面５９ａが形成する空間に、凹面５９ａと内部接続端子５８ａが電気的に絶縁状態で、配置されている。凹面５９ａの表面には絶縁処理が施されていてもよい。内部接続端子５８ａは、電圧試験プラグ二次接続部と一体でなくてもよく、例えば、舌片状の内部接続端子５８ａを電圧試験プラグ筐体４５の内面に螺子止めなどの手段により取り付け、電圧試験プラグ二次接続部４２ａを溶着、或は螺子止めなどの手段により内部接続端子５８ａに電気的に接続してもよい。
【００６８】
凹面５９ａと内部接続端子５８ａは、図５（ａ）に示すように、中心接続端子４３ａが電圧試験プラグ一次接続部４６ａ及び電圧試験プラグ二次接続部４２ａに近づく方向に電圧試験プラグ筐体４５に対して摺動すると、凹面５９ａと内部接続端子５８ａとは離れ、逆に図５（ｂ）に示すように、中心接続端子４３ａが電圧試験プラグ一次接続部４６ａ及び電圧試験プラグ二次接続部４２ａから遠ざかる方向に電圧試験プラグ筐体４５に対して摺動すると、凹面５９ａは内部接続端子５８ａに当接する位置になるようそれぞれ配置されている。
【００６９】
図５（ａ）に示すように、凹面５９ａと内部接続端子５８ａとが離れると、試験器からのケーブル７１ａに電気的に接続されている中心接続端子４３ａと、電圧試験プラグ４０Ｂが電圧試験端子３０へ挿入されたとき電気装置９に電気的に接続される内部接続端子５８ａとは電気的に非接続の状態になり、「非接続状態」になる。
【００７０】
図５（ｂ）に示すように、逆に、凹面５９ａと内部接続端子５８ａとが接触すると、試験器からのケーブル７１ａに電気的に接続されている中心接続端子４３ａと、電圧試験プラグ４０Ｂが電圧試験端子３０へ挿入されたとき電気装置９に電気的に接続される内部接続端子５８ａとは電気的に接続された状態になり、「接続状態」とになる。
【００７１】
また、図５（ａ）、及び図５（ｂ）に示すように、中心接続端子４３ａの周側面に固着されている筒状絶縁部材５１ａは、電圧試験プラグ筐体４５の内部であって、外側接続端子４７ａから突き出ているその周側面に、凹部６８ａを有する。凹部６８ａには、螺子止め、或は嵌合などの手段により電圧試験プラグ筐体４５の内側面に装着されているバネ部材６９ａが係合し、中心接続端子４３ａに対して電圧試験プラグ一次接続部４６ａ、及び電圧試験プラグ二次接続部４２ａに近づく方向（電圧試験プラグ４０Ｂが「非接続状態」になる方向）の付勢力を加えている。
【００７２】
この実施例の構成では、中心接続端子４３ａを電圧試験プラグ一次接続部４６ａ、及び電圧試験プラグ二次接続部４２ａに近づく方向に電圧試験プラグ筐体４５に対して摺動させると、すなわち中心接続端子４３ａを電圧試験プラグ筐体４５に押し込む方向に摺動させると「非接続状態」になる操作特性（逆に、中心接続端子４３ａを電圧試験プラグ筐体４５から引き抜く方向に摺動させると「接続状態」になる操作特性）が得られ、第１の実施例の場合とは逆の操作特性が得られる。従って、電圧試験の状況によって、中心接続端子４３ａを電圧試験プラグ筐体４５に押し込むと「非接続状態」の方が望ましい場合に用いることができる。
【００７３】
また、ここで述べた中心接続端子４３ａ、及び内部接続端子５８ａの構成に関する部分以外は、第１の実施例、及び第２の実施例の構成を適宜用いることが出来ることは言うまでもない。
【００７４】
［第４の実施例］
図６は、本発明に係る電圧試験プラグ４０Ｃの構成を示す断面図である。ここでは、一つの極の断面図のみ示しているが、他の極の断面図も同じであるため、特に図示しない。
【００７５】
図６に示す通り、筒状絶縁部材５１ａは、図示しない筒状絶縁部材５１ｂ、５１ｃ、及び５１ｄと共に、好ましくは樹脂材料から形成されたカバー部材９０によって連結されている。カバー部材９０には、取り付け穴９１ａ、及び図示しない取り付け穴９１ｂ、９１ｃ、及び９１ｄが設けられ、筒状絶縁部材５１ａ、５１ｂ、５１ｃ、及び５１ｄが、それぞれ嵌合などの手段により固着されている。すなわち、この構成により、「図示しない外側接続端子４７ａ、４７ｂ、４７ｃ、及び４７ｄの内部を、それぞれ、摺動可能に、かつ絶縁状態を保持されて摺動する、図示しない中心接続端子４３ａ、４３ｂ、４３ｃ、及び４３ｄ」は、一体となって移動する。また、カバー部材９０は、箱型の形状であり、電圧試験プラグ筐体４５の一部を覆っている。従って、保守員は、それぞれの電極を個々に操作することなく、カバー部材９０を電圧試験プラグ筐体４５に対してスライドさせることにより、電圧試験プラグ４０Ｃを一括して「接続状態」、或は「非接続状態」に切り換えることが出来る。
【００７６】
図７は、電圧試験プラグ４０Ｃの構成を示す三角図である。図７（ａ）は、カバー部材９０の正面図であり、カバー部材９０には、前述の通り、電圧試験プラグ４０Ｃに設けられている筒状絶縁部材５１ａ、５１ｂ、５１ｃ、及び５１ｄに対応する位置に、取り付け穴９１ａ、９１ｂ、９１ｃ、及び９１ｄが設けられている。また、カバー部材９０には、その一部に、好ましくは左右２個の切り欠き部９７が設けられ、保守員が電圧試験プラグ４０Ｃを電圧試験端子３０に挿入するとき、或は抜き出すとき保守員の指がカバー部材９０に干渉することがないようにされている。
【００７７】
図７（ｂ）及び図７（ｃ）では、電圧試験プラグ４０Ｃは「非接続状態」となっている。また、図７（ｄ）及び図７（ｅ）では、電圧試験プラグ４０Ｃは「接続状態」となっている。カバー部材９０にはストッパー９５が設けられ、ストッパー９５は、「接続状態」で電圧試験プラグ筐体４５に当接することにより、中心接続端子４３ａが過剰に摺動することを阻止している。
【００７８】
図７（ｂ）乃至図７（ｅ）に示される通り、電圧試験プラグ筐体４５には、「非接続状態」を示す、例えば、「非接続」、或は「遮断」などの文字表示、緑色などの色表示からなる表示部９６が設けられている。図７（ｂ）及び図７（ｃ）のように、電圧試験プラグ４０Ｃが「非接続状態」のときはこれらの表示は表れているが、図７（ｄ）及び図７（ｅ）のように、「接続状態」になるとこれらの表示はカバー部材９０によって覆われることにより電圧試験プラグ４０Ｃが「接続状態」であることを示す。
【００７９】
この実施例では、図６に示す通り、電圧試験プラグ一次接続部４６ａ、電圧試験プラグ二次接続部４２ａ、電圧試験プラグ筐体４５、中心接続端子４３ａ、筒状絶縁部材５１ａ、及び外側接続端子４７ａなどの構成は第１の実施例と同じ構成としているが、第２の実施例、及び第３の実施例の構成を適宜用いることが出来ることは言うまでもない。例えば、電圧試験プラグ４０Ｃを「接続状態」にロックする手段は、第２の実施例で説明した、筒状絶縁部材５１ａ（一方）に設けられた突起部６１ａ、及び外側接続端子４７（相対的に移動する他方）に設けられた溝部６２ａ、スプリング片６５ａ、及びホック６６ａからなる構成を同様に各電極に用いることが出来る。この、突起部６１ａ、及び溝部６２ａ、スプリング片６５ａ、及びホック６６ａからなる構成は、一部の電極（例えば、端の２電極）にのみ設けることも可能であり、また、電圧試験プラグ筐体４５に突起部６１ａを設け、カバー部材９０に溝部６２ａ、スプリング片６５ａ、及びホック６６ａを設けることも可能である。
【００８０】
［第５の実施例］
図８は、本発明に係る電圧試験プラグ４０Ｄの構成を示す斜視図である。図８（ａ）は「非接続状態」を示す斜視図であり、図８（ｂ）は「接続状態」を示す斜視図である。図９は、図８に示す電圧試験プラグの模式図である。図９（ａ）は正面図であり、図９（ｂ）は「非接続状態」を示す上面図であり、図９（ｃ）は「接続状態」を示す上面図である。図１０（ａ）及び（ｂ）は、電圧試験プラグ４０Ｄの効果を示す模式的断面図である。
【００８１】
第５の実施例は、第４の実施例に比して、カバー部材９０が設けられていない。その代わりに、電圧試験プラグ筐体４５を覆わない連結部材９２が設けられている。すなわち、図８及び図９に示す通り、４個の筒状絶縁部材５１ａ、５１ｂ、５１ｃ、及び５１ｄは、平行四辺形の頂点を形成するように配列しており、樹脂材料などから形成された連結部材９２によって連結されている。図９（ｃ）に示すように、連結部材９２には、筒状絶縁部材５１ａ、５１ｂ、５１ｃ、及び５１ｄに対応する位置にそれぞれ取り付け穴９３ａ、９３ｂ、９３ｃ、及び９３ｄが設けられている。取り付け穴９３ａ、９３ｂ、９３ｃ、及び９３ｄには、それぞれ筒状絶縁部材５１ａ、５１ｂ、５１ｃ、及び５１ｄが嵌合などの手段により固着されている。
【００８２】
連結部材９２は、電圧試験プラグ筐体４５を覆わない点を除き、カバー部材９０と同様に機能する。すなわち、第５の実施例においても、第４の実施例と同様に、「図示しない外側接続端子４７ａ、４７ｂ、４７ｃ、及び４７ｄの内部を、それぞれ、摺動可能に、かつ絶縁状態を保持されて摺動する、図示しない中心接続端子４３ａ、４３ｂ、４３ｃ、及び４３ｄ」は、一体となって移動する。
【００８３】
図８（ａ）及び図９（ｂ）では、電圧試験プラグ４０Ｄは「非接続状態」となっている。また、図８（ｂ）及び図９（ｃ）では、電圧試験プラグ４０Ｄは「接続状態」となっている。
第５の実施例においては、第１の実施例などと同様に、図示しないバネ部材の付勢力により、図示しない中心接続端子４３ａ、４３ｂ、４３ｃ、及び４３ｄは、その周側面に固着されている筒状絶縁部材５１ａ、５１ｂ、５１ｃ、及び５１ｄと共に、電圧試験プラグ一次接続部４６ａ、４６ｂ、４６ｃ、及び４６ｄ（「４６ｄ」のみ図示）、並びに電圧試験プラグ二次接続部４２ａ、４２ｂ、４２ｃ、及び４２ｄから遠ざかる方向に付勢されており、そのため、電圧試験プラグ４０Ｄは、通常状態すなわち保守員が中心接続端子４３ａ、４３ｂ、４３ｃ、及び４３ｄを特に操作していないときには「非接続状態」になっている。
【００８４】
一方、図示しない中心接続端子４３ａ、４３ｂ、４３ｃ、及び４３ｄは、その周側面に固着されている筒状絶縁部材５１ａ、５１ｂ、５１ｃ、及び５１ｄと共に、電圧試験プラグ一次接続部４６ａ、４６ｂ、４６ｃ、及び４６ｄ、並びに電圧試験プラグ二次接続部４２ａ、４２ｂ、４２ｃ、及び４２ｄに近づく方向摺動すると、「接続状態」となる。
従って、保守員は、それぞれの電極を個々に操作することなく、連結部材９２を電圧試験プラグ筐体４５に対してスライドさせることにより、電圧試験プラグ４０Ｄを一括して「接続状態」、或は「非接続状態」に切り換えることが出来る。
【００８５】
連結部材９２の本体部９２ａは、取り付け穴９３ａ、９３ｂ、９３ｃ、及び９３ｄを結ぶ、中抜きの平行四辺形状を有している。また、連結部材９２は、本体部９２ａにおける取り付け穴９３ａと９３ｂとを結ぶ辺の中央部、及び取り付け穴９３ｃと９３ｄとを結ぶ辺の中央部から、それぞれ電圧試験プラグ筐体４５及び絶縁部材４４の幅方向外方に延出する一対の延出部９２ｂ、９２ｂを備えている。
【００８６】
連結部材９２には、本体部９２ａにおける取り付け穴９３ａと９３ｃとを結ぶ辺の中央部、及び取り付け穴９３ｂと９３ｄとを結ぶ辺の中央部に、それぞれストッパー９５、９５が設けられている。ストッパー９５は、図８（ｂ）及び図９（ｃ）に示すように、「接続状態」で電圧試験プラグ筐体４５に当接することにより、連結部材９２を介して連結された中心接続端子４３ａ、４３ｂ、４３ｃ、及び４３ｄが過剰に摺動することを阻止している。また、ストッパー９５は、その先端部に設けられた雄ねじを、電圧試験プラグ筐体４５の正面に設けられた雌ねじ９５ａ（図８（ａ）参照）に螺合することにより、ストッパー９５が電圧試験プラグ筐体４５に当接した状態、すなわち「接続状態」を保持することができる。
【００８７】
図９（ｂ）及び（ｃ）は、後述する押圧棒９４ａ、突出部材９４ｂ、及びバネ部材９４ｃなどの配置、動きなどを示すために、一部の部材の図示を省略して示す模式図である。
図８及び図９に示すように、一対の延出部９２ｂにおける内部接続端子（図示せず）側の面（すなわち、「接続状態」にするときの摺動方向側の面）には、該摺動方向側に突出する押圧棒９４ａ、９４ａがそれぞれ設けられている。押圧棒９４ａは、電圧試験プラグ筐体４５を貫通し、絶縁部材４４の側面に沿って、絶縁部材４４の中空部に配設されている。
【００８８】
第５の実施例においては、連結部材９２を内部接続端子（図示せず）側に移動させると電圧試験プラグ４０の外側に向けて突出する突出部材９４ｂを更に備えている。詳細には、絶縁部材４４の中空部における側面４４ａ近傍には、両側面４４ａそれぞれに対応して、三角柱状の突出部材９４ｂ、９４ｂが一対設けられている。突出部材９４ｂの上面及び底面は、直角二等辺三角形状を有している。絶縁部材４４の側面４４ａには、その中空部と外部とを連通する開口部４４ｂ（図８（ｂ）参照）が設けられている。
【００８９】
突出部材９４ｂは、二等辺のうちの一方の辺に対応する側面が、絶縁部材４４の開口部４４ｂ側に位置し、絶縁部材４４の開口部４４ｂを封鎖していると共に、二等辺のうちの他方の辺に対応する側面が、絶縁部材４４の中空部内で、絶縁部材４４の挿入先端側を向いている。従って、突出部材９４ｂにおける、直角二等辺三角形における斜辺に対応する側面は、絶縁部材４４の中空部内で、押圧棒９４ａの先端に斜めに対向している。
【００９０】
図９に示すように、絶縁部材４４の中空部には、一対のバネ部材９４ｃ、９４ｃが設けられている。バネ部材９４ｃは、突出部材９４ｂの内側に連結されており、そのため、バネ部材９４ｃの付勢力により、突出部材９４ｂは、絶縁部材４４の幅方向内方に向けて付勢されている。
突出部材９４ｂは、押圧棒９４ａにより押圧されていない状態（すなわち自然状態）においては、その一方の側面が、絶縁部材４４の側面４４ａの開口部４４ｂに位置し、いわゆる「つらいち状態」となる。尚、突出部材９４ｂは、絶縁部材４４の中空部に設けられた、図示しないストッパーにより、それ以上、絶縁部材４４の中空部に進入しないようになっている。
【００９１】
連結部材９２は、自然状態においては、第４の実施例におけるカバー部材９０と同様に、内部接続端子（図示せず）から遠ざかる方向に付勢されている。このとき、押圧棒９４ａの先端は、突出部材９４ｂに接しておらず、そのため、突出部材９４ｂは、押圧棒９４ａにより押圧されていない。
一方、連結部材９２を内部接続端子（図示せず）側にスライドさせると、押圧棒９４ａの先端は、突出部材９４ｂにおける斜辺に対応する側面を押圧する。これにより、突出部材９４ｂは、バネ部材９４ｃの付勢力に抗して、絶縁部材４４の幅方向外側に摺動する。その結果、図８（ｂ）及び図９（ｃ）に示すように、突出部材９４ｂの一部が絶縁部材４４の側面４４ａよりも突出する。
【００９２】
従って、第５の実施例によれば、「接続状態」では、突出部材９４ｂが突出しているため、図１０（ａ）に示すように、突出部材９４ｂが電圧試験端子３０の挿入口に引っ掛かり、電圧試験プラグ４０を電圧試験端子３０に挿入することができない。また、図１０（ｂ）に示すように、例えば、突出部材９４ｂが電圧試験端子３０の内部に設けられた凹部３０ａに引っ掛かり、電圧試験端子３０に挿入されている電圧試験プラグ４０を電圧試験端子３０から抜き出すことができない。
【００９３】
つまり、連結部材９２を内部接続端子（図示せず）側に移動させて中心接続端子４３ａ、４３ｂ、４３ｃ、及び４３ｄと前記内部接続端子との対応する極同士とを電気的に接続の状態にして突出部材９４ｂを外側に突出させると、突出した突出部材９４ｂにより、電圧試験端子３０への電圧試験プラグ４０の挿入が阻害されるか、或は電圧試験端子３０からの電圧試験プラグ４０の抜き出しが阻害される。
突出部材９４ｂの突出長さ、或は一対の突出部材９４ｂ、９４ｂの間隔は、上記の効果を達成可能な大きさに設定される。
【００９４】
反対に、「非接続状態」では、突出部材９４ｂが突出していないため、電圧試験プラグ４０を電圧試験端子３０に挿入することができ、或は、電圧試験端子３０に挿入されている電圧試験プラグ４０を電圧試験端子３０から抜き出すこともできる。
つまり、連結部材９２を内部接続端子（図示せず）とは反対側に移動させて中心接続端子４３ａ、４３ｂ、４３ｃ、及び４３ｄと前記内部接続端子との対応する極同士とを電気的に非接続の状態にして突出部材９４ｂの突出を解消すると、電圧試験端子３０への電圧試験プラグ４０の挿入が可能となるか、或は電圧試験端子３０からの電圧試験プラグ４０の抜き出しが可能となる。
【００９５】
この実施例では、電圧試験プラグ一次接続部４６ａ、電圧試験プラグ二次接続部４２ａ、電圧試験プラグ筐体４５、中心接続端子４３ａ、筒状絶縁部材５１ａ、及び外側接続端子４７ａなどの構成は第１の実施例と同様の構成としているが、第２の実施例〜第４の実施例の構成を適宜用いることが出来ることは言うまでもない。
また、突出部材９４ｂの構成は、第５の実施例におけるその構成に制限されない。例えば、突出部材９４ｂの立体形状は、三角柱形状に制限されない。突出部材９４ｂの位置は、絶縁部材４４の側面４４ａ側ではなくてもよく、絶縁部材４４の上面側又は下面側でもよい。突出部材９４ｂの個数は、２個に制限されず、１個又は３個以上でもよい。
突出部材９４ｂを電圧試験プラグ４０の外側に突出させる構成は、第５の実施例における構成に制限されない。例えば、リンク機構やカム機構を用いることができる。
【００９６】
以上、本発明の実施形態を用いて説明したが、本発明の技術的範囲は上記実施形態に記載の範囲には限定されない。上記実施形態に、多様な変更又は改良を加えることが出来る。そのような変更又は改良を加えた形態も本発明の技術範囲に含まれ得ることは、特許記載の範囲の記載から明らかである。
例えば、カバー部材９０の形状は、箱型として説明したが、これに限られず平板をコの字状に曲げたものでもよい。
【図面の簡単な説明】
【００９７】
【図１】本発明に係る電圧試験プラグの構成「非接続状態」を示す断面図である。
【図２】本発明に係る電圧試験プラグの構成「接続状態」を示す断面図である。
【図３】図１に示す電圧試験プラグの外形図である。
【図４】本発明に係る別の電圧試験プラグの構成を示す外形図である。
【図５】本発明に係る更に別の電圧試験プラグの構成を示す断面図である。
【図６】本発明に係る更に別の電圧試験プラグの構成を示す断面図である。
【図７】図６に示す電圧試験プラグの外形図である。
【図８】本発明に係る更に別の電圧試験プラグの構成を示す斜視図である。
【図９】図８に示す電圧試験プラグの外形図である。
【図１０】図８に示す電圧試験プラグの効果を示す模式的断面図である。
【図１１】従来の電圧試験プラグ、及び電圧試験プラグが挿入される一般的な電圧試験端子の構成を示す断面図である。
【符号の説明】
【００９８】
７  試験器
８  外部電源回路
９  電気装置
３０  電圧試験端子
３９  電圧試験端子一次接続部
３８  電圧試験端子二次接続部
４０、４０Ａ、４０Ｂ、４０Ｃ、４０Ｄ  電圧試験プラグ
４６  電圧試験プラグ一次接続部
４２  電圧試験プラグ二次接続部
４３  中心接続端子（第２の端子、及びスイッチ手段）
４７  外側接続端子
５１  筒状絶縁部材
５２  バネ部材
５４、５８  内部接続端子（第１の端子）
６１  突起部
６２  溝部
６３  凹部
６４  表示部
９０  カバー部材
９２  連結部材
９４ｂ  突出部材
９６  表示部
９７  切り欠き部
【図１】
2009036599.tif 000003
【図２】
2009036599.tif 000004
【図３】
2009036599.tif 000005
【図４】
2009036599.tif 000006
【図５】
2009036599.tif 000007
【図６】
2009036599.tif 000008
【図７】
2009036599.tif 000009
【図８】
2009036599.tif 000010
【図９】
2009036599.tif 000011
【図１０】
2009036599.tif 000012
【図１１】
2009036599.tif 000013